(57)【特許請求の範囲】
【請求項１】
前部、後部、前記前部と前記後部の間に設けられた股間部、一対の弾性化脚開口部、および弾性ウェストバンドを備える、使い捨て吸収製品を保持するための衣服であって、前記弾性化脚開口部に隣接する前記前部から前記股間部まで延びて前記弾性化脚開口部に隣接する前記後部内に至る弾性化圧力帯域をさらに備え、前記股間部は、縦および横方向の両方向に弾性的に伸張性があり、かつ縦方向により低い弾性伸張性および横方向により高い伸張性を付与され、前記弾性化圧力帯域は、前記衣服に編み込まれた編成パターンにより形成され、前記弾性化圧力帯域は、前記衣服の前記弾性化圧力領域以外の前部および前記弾性化圧力領域以外の後部よりも弾性化されており、前記衣服の前記弾性化圧力帯域と周囲部分とはポケットを形成するように相互作用することを特徴とする使い捨て吸収製品を保持するための衣服。
【請求項２】
前記前部または前記後部の領域に追加の弾性化圧力帯域が存在することを特徴とする請求項１に記載の衣服。
【請求項３】
前記衣服が縦軸（Ｌ）を有し、前記追加の弾性化圧力帯域が縦軸（Ｌ）の周りに中心設置されていることを特徴とする請求項２に記載の衣服。
【請求項４】
前記後部にさらなる弾性化圧力帯域が存在することを特徴とする請求項３に記載の衣服。
【請求項５】
前記弾性化圧力帯域が、前記前部、前記後部および前記股間部の中に一体に編み込まれることを特徴とする請求項１ないし４のいずれか１項に記載の衣服。
【発明の詳細な説明】
発明の分野
本発明は、使い捨て吸収製品とともに使用するための衣服に関する。本衣服は、着用者の身体に対して優れた接触領域を有するように設計され、主に失禁患者に向けられている。
先行技術の説明
失禁に対して保護する衣服は当該技術でよく知られている。これらの衣服は、尿、糞便および他の身体排出物を受け取り、含み、これらの排出物を身体と着用者の周囲との両方から隔離するように設計される。典型的に、これらの衣服は、着用者の身体に対して使い捨て吸収製品を保持または位置させるように設計される部分を有する。多くのこれらの衣服はまた、吸収製品が汚され、捨てられるまで衣服の部分内の所望の位置に吸収製品を保持する構造的な特徴を有する。
従来の技術開発は、GB ２ 282 053を含み、それは、医学的状態の結果として鼠径部の領域に吸収性の製品を着用する必要がある男性によって利用され得るパンティを記載している。このパンティは、使用の際、吸収性の製品が不浸透性材料の部分的なライニングを介してパンティによって着用者の身体をしっかりと包むように形作られ、構成され、吸収性製品の動きが妨げられる。この解決はある程度の効果があるが、種々の問題がなお、着用者に不快適性を生じさせ得るきつさ、液体の漏洩に至る脚部領域の巻き上げに関して生じており、着用者の動きは、鼠径部と背部の領域に隙間を生じ得る。
GB ２ 185 678 Aは、軽量の失禁用下着として機能し得る一体的な吸収性パッドを備えた使い捨て下着を開示している。吸収性パッドは、後ろと前の領域の両方における股間領域から普通の吸収性パッドよりも高い点に上向きに伸びている。その装置は、夜間使用の際に液体の漏洩を実質的に最小限にするように設計されている。その形状は、吸収性パッドを組み込んで高く位置させることが原因で着用者に不快適性をもたらし得る。
US 4,355,425は、不織の多孔性のファブリックパネルと不織の伸縮性部材との両方を有する改良されたパンティおよびそれを作る方法を記載している。パンティは全方向への伸縮によって特徴づけられる。様々な問題が、吸収性製品の身体接触と位置付けに関して生じ得る。さらに、パンティは女性または子供による使用のために設計されているにすぎない。
WO 92/00051は、失禁ガードが設置され、材料が下着の残りの領域よりも低い弾性を有する恒久的に伸ばされた領域を含む下着を詳述している。そのような特徴は、失禁ガードを正確かつ容易に位置付けることならびに改良された着用者の信頼を可能とする。それにもかかわらず、この形状は、後部領域でひだになり高い身体接触を保証しない。さらに、失禁ガードが装着されると、下着は失禁ガードを効果的に覆うことができなくなり、漏洩が生じ得る。
WO 95/09594は、パンティの前部から後部まで延びる弾性装置によって特徴づけられる軽量失禁用パンティに関する。弾性装置は、好ましくはパンティを含む２つの層またはシートの間に装入される弾性の糸、リボンまたは帯を備えてもよい。この発明はしかしながら一体編み技術によって弾性を包含する下着を開示していない。パンティ設計の目的は、吸収製品を着用者の身体と密接に接触するよう押圧することと吸収製品を着用者の身体構造に応従する形状に形作ることとの両方である。パンティは、着用者の不快適性、ウェストバンドの緩みおよび劣った着具合いのような欠点を被り得る。
明白であるように、先行技術の下着は典型的に多くの欠点、すなわち、着用者の動きによる不完全な身体接触、装着され乾燥しているときの劣った着具合い、着用者の快適性の欠如、扱いにくく魅力のない外観に導く増加されたかさばり、および外側の衣服と寝具類とをだいなしにしてしまうことを伴う液体漏洩を示している。
以上の欠点は、本発明において開示される衣服によって軽減され得るということが今や見いだされた。本発明の衣服は、使い捨て吸収製品が装着されるのに湿っていても、乾燥していても優れた全体にわたる身体接触と優れた着具合いを可能にする。これは続いて、吸収製品をよりよく位置させることと装着させること、改良された獲得性、漏洩の減少および優れた着用者の信頼と快適性のようないくつかの利益に導く。
さらに、本発明の衣服は以上の利益が、いかなる大きさや形状を有する使い捨て吸収製品でも、その使用の際達成されることを可能とする。
発明の目的および概要
本発明の目的は、吸収製品が湿っていても乾燥していても、着用者が静止しているかまたは動いているか否かとは関係なく、優れた全体にわたる身体接触と優れた着具合いを生じ、使い捨て吸収製品を保持することが可能な衣服を提供することである。
発明の目的に従い、使い捨て吸収製品を保持するための衣服が提供される。この衣服は、前部、後部、前記前部と前記後部の間に設けられた股間部、一対の弾性化脚開口部、および弾性ウェストバンドを備える、使い捨て吸収製品を保持するための衣服であって、前記弾性化脚開口部に隣接する前記前部から前記股間部まで延びて前記弾性化脚開口部に隣接する前記後部内に至る弾性化圧力帯域をさらに備え、前記股間部は、縦および横方向の両方向に弾性的に伸張性があり、かつ縦方向により低い弾性伸張性および横方向により高い伸張性を付与され、前記弾性化圧力帯域は、前記衣服に編み込まれた編成パターンにより形成され、前記弾性化圧力帯域は、前記衣服の前記弾性化圧力領域以外の前部および前記弾性化圧力領域以外の後部よりも弾性化されており、前記衣服の前記弾性化圧力帯域と周囲部分とはポケットを形成するように相互作用することを特徴とする。形成されたポケットまたは複数のポケットは、脚の弾性化された開口部の内側に位置し、弾性化された圧力帯域は、好ましくは弾性化された脚開口部の少なくとも一部に隣接する。好ましくは、追加の弾性化圧力帯域が、形成されたポケットに対応する前部または後部の領域に所在する。前記追加の弾性化圧力帯域は、好ましくは衣服の縦軸に基づいて中心に位置される。発明の好ましい態様において、弾性化圧力帯域とポケットに一致する領域にある追加の弾性化圧力帯域とが前部に設けられ、最も好ましくは１つの弾性化圧力帯域が後部に設けられる。発明のより好ましい態様において、弾性化圧力帯域と追加の弾性化圧力帯域が、前部と後部との両方に設けられ、最も好ましくはさらに弾性化された圧力帯域が、後部に設けられる。複数の帯域は、好ましくは連続したまたは断続されたパターンのどちらかの形状であり、前部、後部および股間部に一体に編まれる。
いかなる弾性化圧力帯域も衣服のウェストバンドとの結合を作らないということが発明の好ましい特徴である。
衣服の前部および後部は、好ましくはナイロン繊維、綿およびライクラ（Lycra）▲Ｒ▼の混合物を含み、股間部および弾性化圧力帯域は、ナイロン繊維、綿およびより高い密度のライクラ（Lycra）▲Ｒ▼の混合物を含む。加えて、前部、後部、股間部および弾性化圧力帯域は、好ましくは耐液体剤で処理される。
本発明の衣服は、前部を後部に結合することによって形作られる継ぎを含み得るが、衣服は、単一片の材料からも成り、すなわち、それは継ぎ無しであり得る。継ぎは、もしあれば、好ましくは衣服の外側の表面上に配置される。発明の好ましいおよびより好ましい態様において、股間部は継ぎ無しである。
衣服は、典型的に、全体にわたり、着用者に対して縦方向によりわずかにしか伸張できなく、着用者に対して横方向により伸張し得る。股間部は、好ましくは縦および横方向の両方に弾性的に伸張し得るが、好ましいおよびより好ましい態様は、縦方向により低い伸張性と横方向により高い弾性的な伸張性とを有する。
本発明によれば、請求の範囲に記された特徴を有する衣服によって目的は達成される。
【図面の簡単な説明】
発明は、以下の図面を参照して後に記述される。
図１は、本発明の好ましい態様の前面図を示す。
図２は、発明の好ましい態様の後面図であり、その前部は図１に示されるそれに対応する。
図３は、発明の好ましい態様の側面図であり、その前部および後部はそれぞれ図１および２に示されるそれに対応する。
図４は、本発明のより好ましい態様の前面図を示す。
図５は、本発明のより好ましい態様の後面図であり、その前部は図４に示されるそれに対応する。
図６は、発明のより好ましい態様の側面図であり、その前部および後部はそれぞれ図４および５に示されるそれに対応する。
図７は、衣服の好ましい管状の編成ファブリックを複合形態において、拡大したスケールで示す。
発明の詳細な説明
ここで用いられるように、「衣服」なる語は、着用者の身体に近接して着けられる衣類の製品を呼称する。ここで用いられるように、「使い捨て」なる語は、洗濯されないにせよそうでないにせよ復元されるもしくは使用後に再使用されることを意図されない構造物（すなわち、それらは、一回使用の後に捨てられ、好ましくはリサイクルされ、堆肥化されるかもしくはそうでなければ環境にやさしい方法で処理されることを意図される。）に言及する。ここで用いられるように、「吸収製品」なる語は、尿、月経および他の身体上の排出される物質を吸収し、含む目的のために生殖器に隣接して男性および女性の双方によって着用され得る製品を表す。ここでの衣服に使用するための吸収製品は、好ましくは、失禁の問題を処理するために設計された装入物である。しかしながら、本発明は、赤ん坊のおむつ装入物、陰唇間装置、衛生ナプキン、パンティライナーおよび類似品のような他の吸収製品にもまた適用するということが理解されるべきである。ここで用いられるように、「弾性化圧力帯域」なる語は、選択された場所で衣服に所在する圧力領域を表し、その圧力領域は、衣服の前部および後部よりも弾性化され、圧力領域内において弾性力が作用し、その結果吸収製品が適所に保たれ、着用者の身体に密接に押圧されることを確実にする。ここで用いられる「ポケット」なる語は弾性化圧力帯域と衣服の他の部分、すなわち、前部、後部および股間部と弾性化された脚開口部との間の相互作用の結果生じ、袋の形成に導く。ここで用いられるように、「内側に」なる語は弾性化された脚開口部の内側を意味する。
本発明の衣服は、使い捨て吸収製品とともに使用されるように設計されてはいるが、この衣服は、いかなる吸収製品なしで着用されてもよいということもまた予想される。ここで衣服は、好ましくは再使用するために設計され、したがって洗濯され得る。それにもかかわらず、衣服の固有の材料組成を変えることによって、衣服は使い捨てにすることができる。
図１に示されるような本発明の好ましい態様において、弾性化圧力帯域１５および追加の弾性化圧力帯域１７は、前部１１に設置され、図２における発明の好ましい態様に示されるように、弾性化圧力帯域１８は後部１２に所在する。図４において示されるような発明のより好ましい態様において、弾性化圧力帯域１５と追加の弾性化圧力帯域１７は前部１１に設置され、図５における発明のより好ましい態様において示されるように、弾性化圧力帯域１５、さらに追加の弾性化圧力帯域１７および弾性化圧力帯域１８は、後部１２に所在する。前部１１および後部１２の追加の弾性化圧力帯域１７は、長さにおいて１０ミリメートルから４５０ミリメートルまでの範囲、幅において１０ミリメートルから５００ミリメートルまでの範囲に及び得て、衣服１０の縦軸Ｌに基づいて中心に位置される。弾性化圧力帯域１５は、弾性化脚開口部１４および側部の継ぎ２０の交差部から始まり得るが、好ましいおよびより好ましい態様のために、弾性化圧力帯域１５は弾性化脚開口部１４の少なくとも一部に隣接して配置される。ここで用いられるように、「隣接」なる語は、近くにあることを意味し、そのようにして０ミリメートルから３００ミリメートルまでわたる範囲を取り囲む。発明の好ましいおよびより好ましい態様において、前部１１および後部１２における弾性化圧力帯域１５は、好ましくは弾性化脚開口部１４上に接する。接することは、しかしながら、生じる必要はなく、弾性化された圧力帯域１５は、弾性化脚開口部１４からある距離、すなわち５ミリメートルないし５０ミリメートルに配置されてもよい。さらに、後部１２における追加の弾性化圧力帯域１７は、弾性化圧力帯域１８の上方に設置され、弾性化圧力帯域１８は、股間部１３の周辺２２の上方に置かれる。股間部１３の周辺２２は、衣服１０の一体編みパターンにおいて遷移が起こる点である。股間部１３の周辺２２および弾性化圧力帯域１８の間に、くぼみ２４が生じ、弾性化圧力帯域１７の周辺および弾性化圧力帯域１８の間に、さらなるくぼみ２５が形成する。弾性化圧力帯域１８の寸法は、５ミリメートルから５００ミリメートルまで変わり得る。弾性化圧力帯域１８の形状は、好ましくは矩形であるが、弾性化圧力帯域１８はどんな形状でも取り得る。弾性化圧力帯域１５，１７，１８の全ては、ウェストバンド１９とのいかなる結合も形成しない。発明の好ましいおよびより好ましい態様において、５ミリメートルから２００ミリメートルまで変化する距離は、ウェストバンド１９と前部１１および後部１２における弾性化圧力帯域１７のより上の周辺２３との間で自由にしておくべきである。
弾性力は、弾性化圧力帯域１５、１７、１８において作用する。好ましい態様の場合において、弾性化圧力帯域１５において及ぼされる力は、脚カット部に平行に作用し、前部１１における少なくとも一つのポケット１６を形成するように着用者の身体に向かって内向きに脚エラスチックを動かし、弾性化圧力帯域１８は、後部１２において少なくとも一つのくぼみ２４を形成する。より好ましい態様のために、弾性化圧力帯域１５に及ぼされる力は同様に、脚カット部に平行に作用し、前部１１において少なくとも一つのポケット１６を形成するように着用者の身体に向かって内向きに脚エラスチックを動かし、弾性化圧力帯域１８は、後部１２において少なくとも一つのくぼみ２４および加えて後部１２において少なくとも一つのポケット１６および後部１２においてさらなるくぼみ２５を形成する。好ましいおよびより好ましい態様のために、追加の弾性化圧力帯域１７は、前部１１と後部１２における中心の圧力点として作用し、二つのポケット１６の形成、すなわち弾性化圧力帯域１７の各側部上に一つづつ、を可能とする。ポケット１６の存在は、使い捨て吸収製品２１を有する衣服１０の使用のために重要であり、失禁のひどい場合のために設計される。ポケット１６は、使い捨て吸収製品２１が、確実に、快適におよび多く負荷がかけられた場合でもずれる危険性がなく適合され得る。失禁の状態を和らげるために軽量にするよう設計された使い捨て吸収製品の場合、追加の弾性化圧力帯域１７の存在は、必須ではない。これは、使い捨て吸収製品２１が異なる設計、つまり、より短い長さおよび異なるコア形状であるという事実によって説明され得る。加えて、後部１２における追加の弾性化圧力帯域１７の存在は、さらなるくぼみ２５を生じ、追加の弾性化圧力帯域１７および弾性化圧力帯域１８の間に位置される。弾性化圧力帯域１８は、使い捨て吸収製品２１がひだになることを妨げる。弾性化圧力帯域１５、１７、１８全ての効果は、衣服１０をぴんと張り、間隙または低圧帯の存在を劇的に減少させ、ならびに着用者の身体とより快適な適合および優れた接触領域を可能とすることである。
図３および６各々に図示されるような好ましいおよびより好ましい態様において、脚カット部は典型的に１００ミリメートルから３５０ミリメートルにおよぶ範囲である。脚開口部のカット部は、より円形の形状が利用される場合可能であるよりも好ましい方向に脚エラスチックの収縮力を方向づけるように設計される。少なくとも０．１９パーセントの収縮力が、脚開口部の周辺の回りに間隙を作る危険性を最小限にするために必要となる。好ましくは、収縮力は少なくとも約０．３８ニュートンであるべきであり、より好ましくは、約０．７８ニュートンであるべきである。脚エラスチックに対する伸びは、１７０パーセント±１０パーセントである。脚エラスチックは、当業界で既知の手段を利用して脚開口部の周辺をとりまく前部１１、後部１２および股間部１３に結合され得る。例えば、脚エラスチックは、接着手段の利用または裁縫のような機械的手段によって前部１１、後部１２および股間部１３に結合され得る。好ましいおよびより好ましい態様のために、脚エラスチックは、好ましくは、裁縫によって前部１１、後部１２および股間部１３に結合される。
図１および２に図示されるような好ましい態様において、弾性化圧力帯域１５は脚開口部１４に隣接した前部１１上の領域から股間部１３の領域まで延びる。図４および５に図示されるようなより好ましい態様のために、弾性化圧力帯域１５は、弾性化脚開口部１４に隣接した前部１１上の領域から股間部１３の領域まで延び、それから弾性化脚開口部１４に隣接した後部１２の領域の上に延びる。より好ましい態様において、弾性化圧力帯域１７は、前部１１および後部１２の両方において、弾性化圧力帯域１７のより上方の周辺２３に向かって細くすることができる。このより細い部分の長さは、１５ミリメートルから５０ミリメートルの範囲におよび得て、このより細い部分の幅は、１０ミリメートルから５０ミリメートルの範囲におよび得る。より好ましくは、細くすることは前部１１のみにおいて行われる。この細くすることは、しかしながら、必ずしも必要ではなく、排除されてもよい。弾性化圧力帯域１５は、股間部１３の中に一体的に縫われる。股間部１３は、好ましくは継ぎ無しであり、継ぎの存在によって引き起こされるであろう弾性の損失を防ぐ。股間部１３は、後部１２の周辺２２から弾性化脚開口部１４の一部に接する領域および前部１１における追加の弾性化圧力帯域１７まで伸びる領域を覆う。弾性化帯域１８を含む全てこれらの帯域１５、１７は、衣服１０の前部１１、後部１２および股間部１３の中に一体的に縫われ、湿った状態および乾燥した状態でも、着用者の身体に対して密接して優れた適合する位置に使い捨て吸収製品を保持するように設計される。
衣服１０は、好適な感触、外観および表面特性を有する織成、不織または編成ファブリックを含んでもよい。発明の好ましいおよびより好ましい態様において、衣服１０は、編成ファブリックを含み、快適な触感のある感触を提供する。特に好ましい編む手段は、衣服１０の最終幅のおよそ半分の継ぎのない管状のブランクを最初に編むことを含む。管状ブランクは、衣服１０における脚開口部に備えるために砂時計形状を有するように編まれてもよく、もしくはその代わりに、開口された管の部分は、そのような脚開口部に備えるように切り取られてもよい。出来上がった衣服１０はその後完全に継ぎが無い。好ましい編む手段は、US3,985,004により詳細に記載されており、その開示は参照によってここに含まれる。
図７は、衣服１０の好ましい管状の編成ファブリックのループ構造を複合形態において拡大したスケールで示す。３０に示される段の編成パターンは、前部１１および後部１２に用いられる編成パターンに対応する。３２に示される段は、股間部１３および弾性化圧力帯域１５、１７、１８に用いられる編成パターンに対応する。Ｆ、Ｆ１およびＦ２として示されるフロートは、股間部１３および弾性化圧力帯域１５、１７、１８に魅力的なうねをつけられた外観を提供するのに役立つ。これらのうねは、股間部１３および弾性化圧力帯域１５、１７、１８上で衣服１０の縦軸Ｌに平行な方向に付着され得るいかなる身体上の排出される物質でもその流れの方向づけを助ける。さらに、弾性化圧力帯域１５、１７、１８は、連続したまたは断続されたパターンのどちらかの様式である。弾性化圧力帯域１５、１７、１８が、断続されたパターンの様式であるならば、パターンは、使い捨て吸収製品２１の形状に従う圧力点に対応するような方式で形作られる。言い換えれば、接着点は、吸収製品２１のバックシート上に位置され得て、吸収製品はそれから衣服１０上の予め印を付けられた点に接着して取り付けられ得るであろう。これは、衣服１０における使い捨て吸収製品２１の優れた位置決めを確実にするであろう。
衣服１０用のブランクは、管状の形に最初に編まれる。管状ブランクはそれからうねを作るようにスリット形成され、衣服１０用の平坦なブランクを形作るために開けられる。衣服用のブランクは、終端および側端を有する。弾性ウェストバンド１９は、衣服のブランクの各末端に隣接した弾性要素を備え、終端を形成するためにブランク自体の回りでブランクの各末端をＣの字に曲げ、弾性ウェストバンド１９を形成するための末端を前部１１および後部１２に継ぐことによって形成され得る。弾性ウェストバンド１９は、しかしながら、好ましくは丸くされたウェルト（welt）を備える。脚エラスチックは、脚開口部を取り囲むことになる側端の一部に結合される。衣服１０用のブランクはそれから横中心線のまわりに包まれ、脚開口部の間にあって対置する側端部および終端は、衣服１０のアッセンブリーを完成する側部の継ぎ２０を形成するために結合される。
衣服１０が着用するためにより快適であるように呼吸能力の特性を改良するために、前部１１および後部１２は、好ましくはナイロン繊維、綿およびライクラ（Lycra）▲Ｒ▼の混合物を含み、股間部１３および弾性化圧力帯域１５、１７、１８は、好ましくはナイロン繊維、綿およびより高密度のライクラ（Lycra）▲Ｒ▼の混合物を含み、脚開口部１４は、好ましくは同様の混合物を含む。衣服１０はまた、パーロン、ポリプロピレン、エラストマーのステープルの一体コンポジット、ポリスチレン、ポリイソプレンまたはポリブタジエンのブロックの共ポリマー、エチレン、天然ゴム、ウレタン、クラトン（Kraton）の共ポリマーおよび前述の共押出し／混合のような他の合成繊維から構成されてもよい。
好ましい材料の組み合わせは、いろいろな程度の弾性伸張性能を有する衣服１０になり、すなわち、前部１１および後部１２は、股間部１３、弾性化圧力帯域１５、１７、１８および弾性化脚開口部１４と比較して最も低い程度の弾性の伸張性能を有し、弾性化脚開口部１４は最も高い程度の弾性伸張性能を示す。股間部１３は、縦および横方向の両方向に弾性的に伸張性があるが、好ましいおよびより好ましい態様は、縦方向により低い弾性伸張性能および横方向により高い伸張性能を付与される。この弾性伸張性能の特性は、衣服１０に様々な形状と寸法に適合させることができ、着用者の身体との優れた接触領域を提供する。前部１１および後部１２は、５１ｇ／ｃｍないし６３ｇ／ｃｍの範囲内、より好ましくは５５ないし５９ｇ／ｃｍの範囲内の伸長率を有するように構成され、股間部１３および弾性化圧力帯域１５、１７、１８は、前部１１および後部１２に対する伸張率の値よりも高く、約１１８ｇ／ｃｍに等しいまたはそれ未満、より好ましくは７１ｇ／ｃｍに等しいまたはそれ未満である伸張率を有するように好ましくは構成される。そして弾性化脚開口部１４は、前部１１、後部１２、股間部１３および弾性化圧力帯域１５、１７、１８に対する伸張率の値よりも高く、２１３ｇ／ｃｍから２３２ｇ／ｃｍまでの範囲にある、より好ましくは２１６ｇ／ｃｍから２２８ｇ／ｃｍまでの範囲にある伸張率を有するように好ましくは構成される。伸張率を測定するための好適な方法は、後述の「試験方法」欄に記述される。
衣服１０の好ましいおよびより好ましい態様に耐液体性を与えるために、前部１１、後部１２および股間部１３および弾性化圧力帯域１５、１７、１８は、耐液体剤で処理される。特に、好ましい態様のために、衣服１０は、脂肪酸または脂肪アルコール誘導体、シリコーン、ポリウレタンおよびフルオロカーボン等の材料で処理される。フルオロカーボン材料は、フルオロカーボン表面の低い表面エネルギーという理由で好ましい。衣服１０を処理するための好適なプロセスは次のようである；（１）ブランクは上述のように編まれる；（２）ブランクは繊維仕上げ剤などを取り除くために洗われる；（３）洗われたブランクは、材料供給者の指示に従って洗浄サイクルの最終工程としてフルオロカーボン材料で処理される；（４）ブランクは乾燥される；（５）ブランクはスリット形成され、（６）スリット形成されたブランクは、上述のように完成した衣服１０に転換される。この方法は、全ての衣服のブランクをフルオロカーボン材料で処理する。その代わりに、フルオロカーボン材料は、パジングする、スプレイするような手段または溶液（乳化液または懸濁液）を利用する当業界で良く知られた他の手段を用いて、前部１１および後部１２のみに選択的に利用され得る。耐液体性はまた、耐液体性のフィルムラミネートの手段によって提供され得る。
いかなる寸法または形状の吸収製品２１も、ここに記載される利益を生み出すために、衣服１０とともに利用され得る。大人の失禁防御における使用のための特に好ましい吸収製品２１は、４００から７００ミリメートルの範囲の長さおよび１１０から３００ミリメートルの範囲の幅を有する。特に好ましい製品２１は、砂時計形状を有する。衣服１０は、吸収製品２１が前述の寸法で設計されるならば、負荷されたとき２０００グラムまで重くなった吸収製品２１を保持することが可能である。
衣服１０の股間幅は、６０から２００ミリメートルにわたり得て、衣服１０の全長は、緩和状態で２００ミリメートルから５００ミリメートルまでの範囲におよぶ。発明の好ましいおよびより好ましい態様に従って作られた衣服１０は、広範な数の消費者のプロポーションに適合させるためにスモール、ミディアム、ラージサイズに好都合に作られる。発明がこれらの寸法を有する態様に限定されないということが理解され得る一方、これら三つの衣服のサイズが青年期の人からおおきな大人にわたる着用者の選択を許容するであろう。
衣服１０は、使い捨て吸収製品２１上に備えられ得るいかなるリリースライナーも取り除き、その後吸収製品２１が確実な方法で取り付けられるということを確実にするのに充分な圧力を利用して衣服１０に吸収製品２１を配置することによって利用される。吸収製品２１にフラップが備え付く場合、吸収製品２１は、フラップ取り付け手段が股間部１３の外側の表面に接して設置されるような脚開口部１４の端にフラップがたれるように配置される。着用者は、従来の方法で衣服１０上に引くことができる。着用者が衣服１０の着用を終えるとき、吸収製品２１は取り外され、衣服１０は洗濯され、再使用のために整えられる。
試験方法
伸張率および弾性収縮
この方法は、衣服の着用サイクルに見られるものと匹敵し得る伸張範囲にわたって衣服において使用され得る弾性的に伸張し得る材料によって着用者の身体上に及ぼされる力に匹敵し得る力を検定しようとするものである。
セットアップ条件
ＩＮＤＡ（アソシエーション・オブ・ノンウォーブン・ファブリック・インダストリー（Association of Nonwoven Fabric Industry）規格試験110.1-92に記載された方法が好適であり、以下のセットアップ条件が用いられる。
ゲージ長さ：          5.08cm
クロスヘッドスピード：25.4cm/分
引張り試験機：        予想される力の範囲に対して適当な、インストロン社、カントン、マサチューセッツ州（アメリカ合州国）から入手できる、モデル5564が好適である。
試料幅：              2.54cm。2.54cm未満の幅の試料に対しては、測定された幅に対する2.54cmの比によって測定された力を適合させる。
試料サイズ：          試験材料につき少なくとも三つの試料。
計算
力25：          25％伸びでの力（g/cm）
力50：          50％伸びでの力（g/cm）
弾性収縮＝力25
伸張率＝（力50−力25）／0.25
伸張率、ならびに弾性収縮（脚エラスチックのみ）の平均および標準偏差が報告すべきである。
【図１】
0003917187.tif 000002
【図３】
0003917187.tif 000003
【図２】
0003917187.tif 000004
【図５】
0003917187.tif 000005
【図４】
0003917187.tif 000006
【図６】
0003917187.tif 000007
【図７】
0003917187.tif 000008